(57)【要約】      （修正有）【課題】足に負担のかからないバリアフリーのコタツを提供する。【解決手段】本体コタツヤグラ（１）の周囲に、足を入れるスペース（１２）をあけて本体長イスがセットされる床置き用の堀ゴタツであって、前記本体長イスの上板（２）と、本体長イス上板（２）の下方の保温用側板（４）とをベニヤ板にて構成し、このベニヤ板を組み合わせるため、ヒンジ金具の真ん中のピンを抜いて、残った両側の板金をベニヤ板の必要箇所にあらかじめ取り付けておき、組み立てる時は、ヒンジの穴を合わせて、外しておいたピンを差し込むだけで組み立てできる。【選択図】図２
0003127090.tif 000002
【実用新案登録請求の範囲】
【請求項１】
具体的にはコタツヤグラのまわりの本体長イス上板と保温用の板は、コタツヤグラの本体からは分離させておいて、長イス上板と保温用の板は組み立て式にしてあるために、分解すれば板の部位となるためにせまい場所でもらくにもち運びができるようにしたこと。
【請求項２】
板のつぎ手金具には、引き手用のレバーとループまたは先が鉤の形をしたものと組み合わせた金物で受け手の金具にこのレバーの付いた金物の先を受け手金具に引きかけてレバーを引きたおすだけで板と板はつなぎ合わさるようにしたこと。
【請求項３】
本コタツは不用なときには収納とせまいところでももち運びをしやすくするために、本コタツのとくにかさばる部位は可能なかぎり分解すれば板の形になるようにしてもち運びと収納をしやすくしたこと。
【請求項４】
基本的には板と板との組み合わせからできているために板のつぎ手の角になる部分には、ヒンジのような金物でまん中のピンをぬいて両側の板金を組み合わせるべき板の端にこの板金をあらかじめ取り付けておいて組み立てるときにはこのヒンジの穴を合わせてはずしておいたピンを差し込むだけで組み立てられるようにしたこと。
【請求項５】
コタツ本体長イスの外側には、取りはずしが可能な（図面参照）付けたし長イスを付けてコタツのまわりのイスの幅を広げて使用できるようにしたこと。
【請求項６】
基本的には本体コタツヤグラに付属するすべての部位は分離させておいて付属する部位は分解すれば板の形となるようにして不用なときには収納しやすくして、またせまい場所でもらくにもち運びができるようにしたこと。
【請求項７】
ドアーのある出入口の幅を固定させてドアーのたてつけをよくするために長イス上板には一枚の合板材でベニヤ板のようなもので長イス上板に必要なぶんだけを残して切りぬいた構造として金物などでのつぎ手を少くなくして入口の幅を固定させたこと。
【考案の詳細な説明】
【背景技術】  今まで出願されているようなイス付きのコタツでは、一度組み立てられてしまうと簡単に組み立て分解のできない構造のために、コタツのイスによってコタツ全体が大きくなりすぎてしまうために、いざ使用する部屋までもち込むことができないという大きな理由があるために今まで商品化しようとするメーカーが表われてこない理由でありました。
【考案の効果】
本出願のコタツは、普通の掘りゴタツを床の上に置くだけで使用できるようにしたことで、コタツの外と中との床の段差は、コタツ底板に使用している合板材のベニヤ板のあつみだけしかないものをただ床の上に置いて使用しているのでこの段差はたとえ下肢に障害がある人でもまったく問題とならない段差であります。これに加えて入口ドアーまでも付いているために本コタツは完全なバリアフリーのコタツにしたものです。また本出願のコタツは私自身が下肢障害者のため毎日の生活の不自由の中から生れたために、バリアフリーというてんと、またどんな構造の建物の部屋に住んでいても、簡単に部屋までもち込んで組み立て使用できるようにしたコタツであります。また本出願のコタツは床の上に置くだけで使用できるようにしたコタツとしては、付けたし長イスを必要なだけつなぎ合わせるようにしたことで、座高の高さまで長イスをつなぎ合わせることで、うしろにねころんでも使用できるようにしたため、一日中コタツに入っていてもつかれないしせいで入っていることができるために、このてんでは掘りゴタツを絶対に付けることができない部屋に住む人にとってはとても価値のあるコタツであります。
また本出願のコタツは床に切り込んで床下に取り付けられてないために、コタツの外と中との床の段差はコタツの底板に使用しているベニヤ板のあつみだけしかないので段差が少くないために、立ったままでも出入口のドアーを開けて出入りができるために、下肢障害者にとっては完全なバリアーフリー型のコタツとなっています。
【図面の簡単な説明】
【図１】  本考案のコタツの平面図
【図２】  同底面図
【図３】  同正面図
【図４】  同右側面図
【図５】  同左側面図
【図６】  同背面図
【図７】  付け足し用長イスの連結構造の説明図
【符号の説明】
１…本体コタツヤグラ、２…本体長イス上板、３…付け足し用長イス、４…保温用側板、５…入口ドア、６…連結用引き手金具、７…連結用レール金具、８…連結用引き手金具のジョイント可動部、９…付け足し用長イスの折り畳み式の足脚、１０…ドア用ノブ、１１…ヒンジ、１２…足を入れるスペース。
【図１】
0003127090.tif 000003
【図２】
0003127090.tif 000004
【図３】
0003127090.tif 000005
【図４】
0003127090.tif 000006
【図５】
0003127090.tif 000007
【図６】
0003127090.tif 000008
【図７】
0003127090.tif 000009
【手続補正書】
【提出日】平成18年6月7日(2006.6.7)
【手続補正１】
【補正対象書類名】実用新案登録請求の範囲
【補正対象項目名】全文
【補正方法】変更
【補正の内容】
【実用新案登録請求の範囲】
【請求項１】
本コタツは、基本的には中央のコタツヤグラの最もかさばる部位（本体長イス上板と保温用の板）はベニヤ板のようなものを使用して、このベニヤ板を組み合わせるためにはヒンジのような金物で真ん中のピンを抜いておいて、残った両側の板金をそれぞれ必要箇所にあらかじめ取り付けておいて、組み立てる時にはこのヒンジの穴を合わせて、外しておいたピンを差し込むだけで組み立てができるようにしたこと。
【請求項２】
付け足し長イスの下面［〔図２〕底面図参照］には、鉤の先の形に合わせた溝を付けた受けて金具（７）と、かけ手金具（６）を一組とした継ぎ手の金具を長イス板下面に交互になるようにあらかじめ取り付けてあるために、この金具によって付け足し長イスは、使用する部屋の形状に合わせて長イスどおしを必要に応じて形を変えてつなぎ合わせることができるようになっていること。
【請求項３】
基本的には組み立て分解を楽にするために、特にかさばる部位はベニヤ板のような材料を使用して、またこの板の継ぎ手金具にはヒンジのような金物を使用して真ん中のピンを抜くだけで、ベニヤ板の部位は組み立て分解ができるようにして、狭い場所でも楽に持ち運びができるようにしたこと。
【請求項４】
保温用の板の上下にある（本体長イス上板とコタツ底板は）ヒンジのような形をした金物で、この真ん中のピンをあらかじめ抜いておいて、残った両側の板金を保温用の板の上下にあるコタツ本体長イス上板と、コタツ底板の各角に組み合わさるべき場所にあらかじめ取り付けておいて、組み立てる時には外しておいたピンを差し込むだけで、工具無しでも楽に組み立てができるようにした組み立て式の付け足し長イス付きの掘りコタツ。
【請求項５】
コタツ本体長イスの外側［（図２）図面参照］には、引手金具（６）と受け手金具（７）とを一組とした繋ぎ手金具を長イス下面に交互になるようにして、あらかじめ取り付けたことで本体長イスの外側に付け足した長イスを楽にコタツのまわりのイスの幅を広げて使用できるようにしたこと。
【請求項６】
基本的には本体コタツヤグラを除くと最もかさばる部位は、本体長イスと保温用の板などはベニヤ板のような材料で組み立て式とするために、継ぎ手の角にはヒンジのような金物で、真ん中のピンを抜けば簡単に分解できるような金具をあらかじめベニヤ板の材料の板の端に取り付けておいて、組み立てる時にはこのヒンジの穴を合わせて、外しておいたピンを差し込むだけで、本体長イスと保温用の板などの最もかさばる部位は、ベニヤ板のような材料で簡単に組み立てるようにしたこと。
【請求項７】
ドアーのある出入口の幅を固定させるために、長イス上板には一枚の合板材でベニヤ板のような材料を使用して切り抜いた構造として、この上板にはどこにも繋ぎ目をなくして、この長イス上板に水平方向に力が加わってもドアーのある出入口の幅を一定でいられるようにしたことで、ドアーのたてつけに支障をきたさないようにしたこと。
【手続補正書】
【提出日】平成18年6月8日(2006.6.8)
【手続補正１】
【補正対象書類名】実用新案登録請求の範囲
【補正対象項目名】全文
【補正方法】変更
【補正の内容】
【実用新案登録請求の範囲】
【請求項１】
本コタツは、基本的には中央のコタツヤグラのまわりの最もかさばる部位（本体長イス上板と保温用の板）はベニヤ板のようなものを使用して、このベニヤ板を組み合わせるためにはヒンジのような金物で真ん中のピンを抜いておいて、残った両側の板金をそれぞれ必要箇所にあらかじめ取り付けておいて、組み立てる時にはこのヒンジの穴を合わせて、外しておいたピンを差し込むだけで組み立てができるようにしたこと。
【請求項２】
付け足し長イスの下面［〔図２〕底面図参照］には、鉤の先の形に合わせた溝を付けた受け手金具（７）と、かけ手金具（６）を一組とした継ぎ手の金具を長イス板下面に交互になるようにあらかじめ取り付けてあるために、この金具によって付け足し長イスは、使用する部屋の形状に合わせて長イスどおしを必要に応じて形を変えてつなぎ合わせることができるようになっていること。
【請求項３】
基本的には組み立て分解を楽にするために、特にかさばる部位はベニヤ板のような材料を使用して、またこの板の継ぎ手金具にはヒンジのような金物を使用して真ん中のピンを抜くだけで、ベニヤ板の部位は組み立て分解ができるようにして、狭い場所でも楽に持ち運びができるようにしたこと。
【請求項４】
保温用の板の上下にある（本体長イス上板とコタツ底板は）ヒンジのような形をした金物で、この真ん中のピンをあらかじめ抜いておいて、残った両側の板金を保温用の板の上下にあるコタツ本体長イス上板と、コタツ底板の各角に組み合わさるべき場所にあらかじめ取り付けておいて、組み立てる時には外しておいたピンを差し込むだけで、工具無しでも楽に組み立てができるようにした組み立て式の付け足し長イス付きの掘りコタツ。
【請求項５】
コタツ本体長イスの外側［（図２）図面参照］には、引手金具（６）と受け手金具（７）とを一組とした繋ぎ手金具を長イス下面に交互になるようにして、あらかじめ取り付けたことで本体長イスの外側に付け足した長イスを楽にコタツのまわりのイスの幅を広げて使用できるようにしたこと。
【請求項６】
基本的には本体コタツヤグラを除くと最もかさばる部位は、本体長イスと保温用の板などはベニヤ板のような材料で組み立て式とするために、継ぎ手の角にはヒンジのような金物で、真ん中のピンを抜けば簡単に分解できるような金具をあらかじめベニヤ板の材料の板の端に取り付けておいて、組み立てる時にはこのヒンジの穴を合わせて、外しておいたピンを差し込むだけで、本体長イスと保温用の板などの最もかさばる部位は、ベニヤ板のような材料で簡単に組み立てるようにしたこと。
【請求項７】
ドアーのある出入口の幅を固定させるために、長イス上板には一枚の合板材でベニヤ板のような材料を使用して切り抜いた構造として、この上板にはどこにも繋ぎ目をなくして、この長イス上板に水平方向に力が加わってもドアーのある出入口の幅を一定でいられるようにしたことで、ドアーのたてつけに支障をきたさないようにしたこと。
【手続補正書】
【提出日】平成18年8月18日(2006.8.18)
【手続補正１】
【補正対象書類名】実用新案登録請求の範囲
【補正対象項目名】全文
【補正方法】変更
【補正の内容】
【実用新案登録請求の範囲】
【請求項１】
本体コタツヤグラ（１）の周囲に、足を入れるスペース（１２）をあけて本体長イスがセットされる床置き用の堀ゴタツであって、前記本体長イスの上板（２）と、本体長イス上板（２）の下方の保温用側板（４）とをベニヤ板にて構成し、このベニヤ板を組み合わせるため、ヒンジ金具の真ん中のピンを抜いて、残った両側の板金をベニヤ板の必要箇所にあらかじめ取り付けておき、組み立てる時は、ヒンジの穴を合わせて、外しておいたピンを差し込むだけで組み立てできるようにしたことを特徴とする床置き用の堀ゴタツ。
【請求項２】
前記本体長イスの外側には、引き手金具（６）と受け手用の金具（７）を一組とする金具を介して付け足し用長イス（３）が連結自在にされ、イスの幅を広げて使用できるようにされることを特徴とする請求項１に記載の床置き用の堀ゴタツ。
【請求項３】
前記付け足し用長イス（３）の下面には、先端に鉤を有する引き手金具（６）と、鉤の先の形状に合わせた溝を付けた受け手用の金具（７）を一組とした継ぎ手の金具が交互に取り付けられており、この金具（６）（７）によって、付け足し用長イス（３）は、使用する部屋の形状に合わせて付け足し用長イス（３）どおしを必要に応じて形を変えてつなぎ合わせることができるようにされることを特徴とする請求項１又は請求項２に記載の床置き用の堀ゴタツ。
【請求項４】
前記本体長イスの任意の箇所に入口ドア（５）を設け、このドア（５）のある出入り口の幅を固定するため、長イスの上板（２）はベニヤ板を切り抜いた構造にすることを特徴とする請求項１ないし請求項３に記載の床置き用の堀ゴタツ。